(57)【要約】【課題】電磁遮蔽機能に優れた小型の回路モジュールを提供する。【解決手段】配線基板２の上面に上面が基準電位に保持されるシールド機能付電子部品３、半導体素子４を搭載し、これらを絶縁性樹脂材５で被覆するとともに、樹脂材５の上面に導電層６を形成する。導電層６を、樹脂材５より露出するシールド機能付電子部品３の基準電位に保持された部分と接続することにより、基準電位に保持する。【選択図】図２
2007294828.tif 000002
【特許請求の範囲】
【請求項１】
配線基板と、
前記配線基板に並設される複数個の電子部品と、
前記複数個の電子部品のうち少なくとも１個に設けられる基準電位部と、
前記基準電位部を除いて前記複数個の電子部品を被覆する絶縁性樹脂材と、
前記基準電位部に接続されるとともに前記絶縁性樹脂材の上面を被覆する導電層と、を備えた回路モジュール。
【請求項２】
前記複数の電子部品は、半導体素子と上面側に前記基準電位部を有するシールド機能付電子部品とを含み、
前記導電層が、前記シールド機能付電子部品の基準電位部に被着されていることを特徴とする請求項１に記載の回路モジュール。
【請求項３】
前記複数の電子部品のうち、前記シールド機能付電子部品の上面の高さ位置が、他の電子部品の上面の高さ位置よりも高いことを特徴とする請求項２に記載の回路モジュール。
【請求項４】
前記絶縁性樹脂材の上面の高さ位置と前記シールド機能付電子部品の上面の高さ位置とが等しいことを特徴とする請求項３に記載の回路モジュール。
【請求項５】
前記導電層が前記基準電位部の側面に被着されており、前記導電層の上面の高さ位置と前記シールド機能付電子部品の上面の高さ位置とを等しくなしたことを特徴とする請求項３に記載の回路モジュール。
【請求項６】
前記シールド機能付電子部品は、容器体、該容器体の上面に固定される金属板、容器体内部に収容される圧電振動素子、並びに容器体の外表面に形成されるグランド端子を含んで構成され、前記金属板が前記容器体の配線を介して前記グランド端子に接続されることにより、前記基準電位部が前記金属板から構成されていることを特徴とする請求項２乃至請求項５のいずれかに記載の回路モジュール。
【請求項７】
前記複数の電子部品は、半導体基板、該半導体基板を厚み方向に貫く貫通導体、並びに前記半導体基板の下面側に形成され、前記貫通導体と電気的に接続されるグランド電極パッドを含んで構成される半導体素子を含み、前記基準電位部が前記貫通導体の前記半導体基板上面への導出部から成ることを特徴とする請求項１に記載の回路モジュール。
【請求項８】
前記複数の電子部品のうち、前記半導体素子の上面の高さ位置が、他の電子部品の上面の高さ位置よりも高いことを特徴とする請求項７に記載の回路モジュール。
【請求項９】
前記絶縁性樹脂材の上面の高さ位置と前記半導体素子の上面の高さ位置とが等しいことを特徴とする請求項８に記載の回路モジュール。
【発明の詳細な説明】
【技術分野】
【０００１】
本発明は、ＧＰＳモジュールやＷ−ＬＡＮ（ワイヤレスラン）モジュール等の回路モジュールに関するものである。
【背景技術】
【０００２】
近年、配線基板上に半導体素子および受動素子を含む複数の電子部品を搭載してなる回路モジュールが急速に普及してきている。これらの回路モジュールは、例えば、携帯電話機等の無線通信機器に使用され高周波信号を処理する機能を備えている。
【０００３】
このように高周波信号を処理するため、回路モジュールには、外部からの電磁波による影響を抑えるとともに外部へ不要な電磁波が漏洩しないように、電磁遮蔽機能を有するシールド層が形成されている。かかる従来の回路モジュールでは、シールド層として金属カバーが多用されているが、低背化のためには、絶縁性樹脂材により電子部品を覆う方が有利である。しかしながら、絶縁性樹脂材は、電磁遮蔽機能を有さないため、新たにその機能を付加することが必要となる。そこで、配線基板に搭載された電子部品を絶縁性樹脂材で封止し、該絶縁性樹脂材を導電性樹脂で被覆することによりシールド層を形成した回路モジュールが提案されている（例えば、特許文献１参照）。この導電性樹脂を配線基板に設けたグランド電極に接続させることにより、回路モジュールの動作をより確実に安定化することができる。
【特許文献１】特開２００４−１７２１７６号公報
【発明の開示】
【発明が解決しようとする課題】
【０００４】
しかしながら、上記従来の回路モジュールにおいては、配線基板にシールド層と導通させるためのグランド電極を設ける必要があり、そのスペースを確保する分、配線基板が大型化するため回路モジュールの小型化の障害となっていた。
【０００５】
本発明は、上記問題に鑑み案出されたものであり、その目的は、電磁遮蔽機能に優れた小型の回路モジュールを提供することにある。
【課題を解決するための手段】
【０００６】
本発明は、配線基板と、前記配線基板に並設される複数個の電子部品と、前記複数個の電子部品のうち少なくとも１個に設けられる基準電位部と、前記基準電位部を除いて前記複数個の電子部品を被覆する絶縁性樹脂材と、前記基準電位部に接続されるとともに前記絶縁材の上面を被覆する導電層とを備えた回路モジュールである。
【０００７】
また本発明の回路モジュールは、前記複数の電子部品が、半導体素子と上面側に前記基準電位部を有するシールド機能付電子部品とを含み、前記導電層が、前記シールド機能付電子部品の基準電位部に被着されていることを特徴とするものである。
【０００８】
また本発明の回路モジュールは、前記複数の電子部品のうち、前記シールド機能付電子部品の上面の高さ位置が、他の電子部品の上面の高さ位置よりも高いことを特徴とするものである。
【０００９】
また本発明の回路モジュールは、前記絶縁性樹脂材の上面の高さ位置と前記シールド機能付電子部品の上面の高さ位置とが等しいことを特徴とするものである。
【００１０】
また本発明の回路モジュールは、前記導電層が前記基準電位部の側面に被着されており、前記導電層の上面の高さ位置と前記シールド機能付電子部品の上面の高さ位置とを等しくなしたことを特徴とするものである。
【００１１】
また本発明の回路モジュールは、前記シールド機能付電子部品が、容器体、該容器体の上面に固定される金属板、容器体内部に収容される圧電振動素子、並びに容器体の外表面に形成されるグランド端子を含んで構成され、前記金属板が前記容器体の配線を介して前記グランド端子に接続されることを特徴とするものである。
【００１２】
また本発明の回路モジュールは、前記複数の電子部品は、半導体基板、該半導体基板を厚み方向に貫く貫通導体、並びに前記半導体基板の下面側に形成され、前記貫通導体と電気的に接続されるグランド電極パッドを含んで構成される半導体素子を含み、前記基準電位部が前記貫通導体の前記半導体基板上面への導出部から成ることを特徴とするものである。
【００１３】
また本発明の回路モジュールは、前記複数の電子部品のうち、前記半導体素子の上面の高さ位置が、他の電子部品の上面の高さ位置よりも高いことを特徴とするものである。
【００１４】
また本発明の回路モジュールは、前記絶縁性樹脂材の上面の高さ位置と前記半導体素子の上面の高さ位置とが等しいことを特徴とするものである。
【発明の効果】
【００１５】
本発明の回路モジュールによれば、配線基板上に搭載されたシールド機能付電子部品の基準電位に保持される部分に被着される導電層によって、シールド機能付電子部品と並設される半導体素子を覆うようにしたことから、外部からの不要な電磁波を遮蔽し、回路モジュールを安定して動作させることができる。尚且つ、導電層を基準電位に保持させるためのグランド電極を配線基板の上面に別途形成する必要がなく、その分、配線基板を小型化でき、ひいては回路モジュールの小型化に供することができる。
【００１６】
また、前記シールド機能付電子部品の上面の高さ位置を、前記他の電子部品の上面の高さ位置よりも高くしておけば、導電層のシールド機能付電子部品の基準電位に保持される部分への被着を簡単に行うことができる。
【００１７】
また、前記絶縁性樹脂材の上面の高さ位置と前記シールド機能付電子部品の上面の高さ位置とを等しくすることにより、絶縁性樹脂材からシールド機能付電子部品の上面全体が露出された状態となり、この露出部に導電層が被着されるため、導電層がより確実に基準電位に保持されるようになる。加えて、絶縁性樹脂材の上面が、他の電子部品よりも高背なシールド機能付電子部品の上面に揃うことにより、導電層の上面に大きな凹凸が形成されることがなく、回路モジュールを吸引して搬送する際、確実に吸引を行うことができるようになる。また、導電層の上面に良好な状態でマーキングをすることができるようになるといった利点もある。
【００１８】
また、前記導電層の上面の高さ位置と前記シールド機能付電子部品の上面の高さ位置とを等しくすることにより、配線基板の最上層から導電層の上面までの厚みを、実質的にシールド機能付電子部品の厚みにすることができ、回路モジュールをさらに低背・小型化することができる。
【００１９】
また前記シールド機能付電子部品が、容器体、該容器体の上面に固定される金属板、容器体内部に収容される圧電振動素子、並びに容器体の外表面に形成されるグランド端子を含んで構成され、前記金属板が前記容器体の配線を介して前記グランド端子に接続されることにより、基準電位に保持された金属板が周囲の電磁波を遮蔽し、圧電振動素子の電気的特性を安定化させることができ、同時に、導電層を配線基板まで引き回すことなく、基準電位に保持された金属板を用いて簡単に基準電位に導通させることができる。
【００２０】
また、半導体素子に貫通導体を設け、前記貫通導体の半導体基板上面への導出部を基準電位部とすることにより、導電層を基準電位に保持させるためのグランド電極を配線基板上面に別途形成する必要がなく、その分、配線基板を小型化でき、ひいては回路モジュールの全体構造を小型化することができる。ここで、前記半導体素子の上面の高さ位置を、他の電子部品の上面の高さ位置よりも高くしておけば、導電層の基準電位への被着を簡単に行うことができる。さらに、前記絶縁性樹脂材の上面の高さ位置と前記半導体素子の上面の高さ位置とを等しくしておくことにより、絶縁性樹脂材の上面が、最も高背な半導体素子の上面に揃うことにより、絶縁性樹脂材の上面の高さ位置が半導体素子の上面の高さ位置より低く設定されている場合に比し、絶縁性樹脂材の上面に形成される導電層に大きな凹凸が形成されることがない。これによって、回路モジュールを吸引して搬送する際、確実に吸引を行うことができ、回路モジュールの生産性向上に供することができる。
【発明を実施するための最良の形態】
【００２１】
以下、本発明の回路モジュールを図面に基づいて詳細に説明する。
【００２２】
図１は本発明の第１の実施形態に係る回路モジュールの外観斜視図、図２は図１に示す回路モジュールの断面図である。
【００２３】
同図に示す回路モジュール１は、配線基板２，配線基板２に並設される複数の電子部品、これら複数の電子部品を被覆する絶縁性樹脂材５、並びに、絶縁性樹脂材５を被覆する導電層６を備えている。前記複数の電子部品は、シールド機能付電子部品３，半導体素子４を含むものである。
【００２４】
配線基板２は、例えば７ｍｍ×５ｍｍ×０．４ｍｍの概略直方体状の基板であり、ガラス−セラミックス、アルミナ、ムライト等のセラミック材料を主成分とする絶縁体層を複数個積層することにより形成されている。特に回路モジュール１を高周波用の機器に使用する場合、配線基板２には、ガラス−セラミック材料を用いることが望ましい。ガラス−セラミック材料を用いることにより、配線として低抵抗導体であるＣｕやＡｇが使用しやすくなる。この配線基板２は、ガラス−セラミックス材料等のセラミック材料粉末に適当な有機溶剤を添加・混合して得たセラミックグリーンシートの表面等に回路配線や接続パッドとなる導体ペーストを従来周知のスクリーン印刷法等で塗布するとともに、これを複数個積層してプレス成形した後、高温で焼成することによって製作される。このような配線基板２の内部には、内部配線７やビアホール導体８等が形成されるとともに、下面には外部端子９が形成されている。また、上面には各種電子部品を実装するためのパッド１０が形成されている。
【００２５】
上述の内部配線７や外部端子９、電極パッド１０等は、Ａｇ、Ｃｕ、Ｗ及びＭｏ等の金属を主成分とする材料から成り、例えば，Ａｇ系粉末、ホウ珪酸系低融点ガラスフリット、エチルセルロース等の有機バインダー、有機溶剤等を含有してなる導体ペーストを、配線基板２を構成する各絶縁体層となるセラミックグリーンシート上に、従来周知のスクリーン印刷等によって塗布し、焼成することによって形成される。
【００２６】
かかる配線基板２上には、シールド機能付電子部品３、半導体素子４、及び、コンデンサ、抵抗、インダクタ、ＳＡＷフィルタ等の各種電子部品２０が搭載されている。
【００２７】
シールド機能付電子部品３は、水晶振動子や水晶発振器、あるいは温度補償型水晶発振器等が例示でき、本実施形態においては、温度補償型水晶発振器を使用している。図３に本実施形態に用いられる温度補償型水晶発振器としてのシールド機能付電子部品３の断面図を示す。同図に示す如く、シールド機能付電子部品３は、容器体１３、容器体１３の上面に固着される金属板１２、並びに容器体１３の下面に形成されるグランド端子１５を含んで構成される。なお、金属板１２は、金属リング１６を介して配線基板２に固着され、金属板１２及び金属リング１６が基準電位に保持される基準電位部となっている。
【００２８】
また、容器体１３の上面には圧電振動素子としての水晶振動素子１７が搭載され、容器体１３の下面にはキャビティが設けられるとともに、キャビティ内には水晶振動素子１７の振動に基づいて発振出力を制御するＩＣチップ１８が搭載されている。なお、ＩＣチップ１８内には温度補償データが格納されており、この温度補償データに基づき前記発振出力の温度特性の補正を行っている。
【００２９】
シールド機能付電子部品３の金属板１２は、容器体１３に設けられた配線１９を介してグランド端子１５と接続され、これにより、水晶振動素子１７が基準電位に保持された金属板１２及び金属リング１６によって囲われた状態となり、周囲の不要な電磁波を遮蔽して、水晶振動素子１７の電気的な特性を安定化させることができる。本発明におけるシールド機能付電子部品とは、このように容器の内部に配された素子を電磁的にシールドする機能を備えた電子部品のことをいう。
【００３０】
なお、容器体１３の下面に設けられているグランド端子１５は、図２に示されるように、配線基板２に設けた内部配線７やビアホール導体８を介して、配線基板１３の下面に設けたグランド用の外部端子９に接続されている。
【００３１】
配線基板２には、上述のシールド機能付電子部品３と隣接するようにして半導体素子４が搭載されている。半導体素子４は、ＳｉやＧａＡｓ等の半導体基板の表面に、Ａｌ等の回路配線を形成した構造を有するフリップチップ型のＩＣチップであり、回路配線が形成された面を下面として、この下面に設けたパッドと、配線基板上に設けた電極パッド１０とを半田等の導電性接着剤を用いて接続することにより、半導体素子４が配線基板３に電気的・機械的に接続されることとなる。半導体素子４は、例えば、ＲＦＩＣであり、増幅回路や、ＲＦ送受信回路を備えている。
【００３２】
配線基板２には、上述したシールド機能付電子部品３や半導体素子４以外にも、その上面にコンデンサ、抵抗、インダクタ、ＳＡＷフィルタ等の各種電子部品２０が搭載されるとともに、内部には、フィルタ素子２１等が形成され、これらが相互に電気的に接続されることにより所定の回路を構成している。
【００３３】
ここで、配線基板２の上面に搭載されるシールド機能付電子部品３、半導体素子４、並びに各種電子部品２０のうち、シールド機能付電子部品３の上面の高さ位置が、最も高く位置するにように設定されている。これにより、後述する絶縁性樹脂材５を、シールド機能付電子部品３の上面側を露出させつつ、半導体素子４や各種電子部品２０を被覆することができ、シールド機能付電子部品３の基準電位に保持される部分への導電層５の被着を簡単に行うことができる。
【００３４】
また、配線基板２上には絶縁性樹脂材５が設けられており、かかる絶縁性樹脂材５は、シールド機能付電子部品３の上面が露出されるようにして、半導体素子４、各種電子部品２０、並びに配線基板３の上面を被覆している。
【００３５】
絶縁性樹脂材５は、フェノール樹脂やエポキシ樹脂等、絶縁性の樹脂材料で形成されており、半導体素子４や各種電子部品２０を覆うことによって、これらを保護するとともに、回路モジュール１自体の機械的強度を高める機能を有している。また、金属カバーで覆うようにした従来の回路モジュールと比較して、半導体素子４等から発生するジュール熱を効率よく外部へ放熱させることができる。すなわち、金属カバーで半導体素子４等を覆うようにした場合、半導体素子４の搭載面以外の周囲は熱伝導率の低い空気層となっているため、半導体素子４で発生した熱は、殆ど搭載面から配線基板側へしか放熱されないが、本発明のように絶縁性樹脂材５で被覆することにより、空気よりも熱伝導率の高い絶縁性樹脂材５側へも熱が放散され、半導体素子４に過度の熱が蓄積されるのを防止することができる。
【００３６】
この絶縁性樹脂材５は従来周知のスクリーン印刷法等によって、シールド機能付電子部品３、半導体素子４、各種電子部品２０、並びに配線基板３の上面を覆うように配線基板２の上面に塗布される。このとき、シールド機能付電子部品３は、少なくとも基準電位に保持される部分の一部が絶縁性樹脂材５で被覆されないようにしておく。これは、導電層６をシールド機能付電子部品３の基準電位に保持される部分に被着させるためである。塗布された絶縁性樹脂材５は、例えば、１５０℃で３０分程度加熱することにより硬化される。
【００３７】
ここで、絶縁性樹脂材５の上面の高さ位置とシールド機能付電子部品３の上面の高さ位置とを等しくしておけば、絶縁性樹脂材５からシールド機能付電子部品３の上面全体が露出された状態となり、この露出部に導電層６が被着されることとなるため、導電層６をより確実に基準電位に保持させることができるようになる。加えて、絶縁性樹脂材５の上面が、最も高背なシールド機能付電子部品３の上面に揃うことにより、絶縁性樹脂材５の上面が平坦化される。すなわち、絶縁性樹脂材５の上面が最も高背なシールド機能付電子部品３の上面よりも低い場合、絶縁性樹脂材５の上面を覆うように導電層６を形成すると、導電層６は、シールド機能付電子部品３に対応する部分が突出した状態となる。これに対し、絶縁性樹脂材５の上面の高さ位置とシールド機能付電子部品３の上面の高さ位置とを等しくしておけば、絶縁性樹脂材５の上に形成される導電層６にも大きな凹凸が形成されることがなくなる。これにより、例えば、回路モジュール１を吸引して搬送する際、確実に吸引を行うことができ、生産性向上に供することができる。また、導電層６の上面に良好な状態でマーキングをすることができるといった利点もある。
【００３８】
絶縁性樹脂材５の上面を被覆する導電層６は、導電性樹脂材、蒸着やめっきによる金属膜などが例示できるが、生産性の観点から、Ａｇなどの焼結金属粒子のみからなる金属焼結層により形成することが好ましく、回路モジュール１を８００ＭＨｚ以上の無線周波数を扱う携帯電話等に組み込むときは、金属焼結層が特に有効である。ここで金属焼結層は、バインダー等の樹脂成分を殆ど含有せず、金属の微粒子同士が焼結したものが好ましい。この金属焼結層は、平均粒径１ｎｍ〜１００ｎｍ、より好適には、平均粒径１０ｎｍ〜５０ｎｍの金属ナノ粒子を、トルエン、テルピネオール、キシレン、テトラデカン等の有機系の分散溶媒中に分散させ、ペースト状にした後、絶縁性樹脂材５の上面に塗布し、これを１３０〜３００℃で加熱処理することにより形成される。このように上記ナノオーダーの金属粒子を用いることにより、緻密な金属層が形成され、外部からの電磁的なノイズを有効に遮蔽することができる。また、ナノオーダーの金属粒子は、１３０〜３００℃の比較的低温度で焼結するため、絶縁性樹脂材５、及び半導体素子４等に高温加熱による劣化を発生させることなく、導電層５を形成できる。金属焼結層として、Ａｇによるものとして説明したが、Ａｇ以外の金属であっても良く、ＣｕやＮｉ等であっても良い。また、金属焼結層による導電層５の厚みは、例えば、５〜１０μｍに設定される。
【００３９】
上述した本発明の回路モジュールによれば、配線基板上に搭載されたシールド機能付電子部品３の基準電位に保持される部分に被着される導電層６によって、半導体素子４、各種電子部品２０、及び配線基板２の上面を覆うようにしたことから、外部からの不要な電磁波を遮蔽し、回路モジュール１を安定して動作させることができ、尚且つ、導電層６を基準電位に保持させるためのグランド電極を配線基板２に別途設ける必要がなく、その分、配線基板２を小型化でき、ひいては回路モジュール１の小型化に供することができる。また、シールド機能付電子部品３の基準電位に保持された部分（金属板１２）に導電層６を被着させる構造としたことから、導電層６を配線基板２まで引き回すことなく、簡単に基準電位に導通させることができる。
【００４０】
図４は、第１の実施形態の変形例を示す斜視図である。同図に示す回路モジュールの特徴的なことは、導電層６の上面の高さ位置とシールド機能付電子部品３の上面の高さ位置とが等しい点である。したがって、図に示されるようにシールド機能付電子部品３の上面が外部に露出した状態となっている。図５は、図４に示す回路モジュール１の断面図であり、導電層６は金属板１２の側面及び金属リング１６に被着されることにより基準電位に保持されるようになっている。このような構造とすることにより、配線基板２の最上層から導電層６の上面までの厚みを、実質的にシールド機能付電子部品３の厚みと等しくすることができ、回路モジュール１をさらに低背・小型化することができる。また、導電層６に大きな凹凸が形成されることがなくなり、例えば、回路モジュール１を吸引して搬送する際、確実に吸引を行うことができ、生産性向上に供することができる。また、導電層６の上面に良好な状態でマーキングをすることができるといった利点もある。
【００４１】
図８は、本発明に係る回路モジュールの第２の実施形態を示す断面図である。なお、第１の実施形態と同様の構成要素には同じ符号を用いて重複する説明は省く。本実施形態において特徴的なことは基準電位部１２が半導体素子４に設けられている点である。
【００４２】
図９は、図８に示す回路モジュールに使用される半導体素子４の断面図であり、同図に示されるように半導体素子４は、半導体基板２２、貫通導体２３、および実装面に形成されるグランド電極パッド２４を含んで構成されている。半導体基板２２は、ＳｉやＧａＡｓ等の半導体材料から成る。なお、半導体基板２２の実装面側には配線を引き回すための再配線層を適宜形成してもよい。貫通導体２３は、半導体基板２２を厚み方向に貫くようにして形成されており、その一端が半導体基板２２の実装面とは反対側の面に導出され、かかる導出部が基準電位部１２となっている。一方、貫通導体２３の他端は、半導体基板２２の実装面に導出されるとともに、グランド電極パッド２４と直接、あるいは配線２５を介して接続されている。グランド電極パッド２４は、配線基板２の下面に設けたグランド用の外部端子９に電気的に接続され、これにより貫通導体２３がグランド電位に保持されることとなる。
【００４３】
貫通導体２３は、半導体基板２２にエッチング処理などを施すことにより貫通穴を形成した後、貫通穴にＣｕなどの金属材料を充填することにより、あるいは貫通穴にＣｕなどの金属材料をメッキすることにより形成される。貫通穴に金属材料を充填することにより貫通導体２３を形成する場合、ナノオーダーの金属粒子を主成分とするペースト材を用いることが好ましい。具体的には、平均粒径１ｎｍ〜１００ｎｍ、より好適には、平均粒径１０ｎｍ〜５０ｎｍの金属ナノ粒子を、トルエン、テルピネオール、キシレン、テトラデカン等の有機系の分散溶媒中に分散させ、ペースト状にしたものを貫通穴に充填し、これを１３０〜３００℃で加熱処理することにより形成される。このように金属ナノ粒子を主成分とするペーストは、一般的な導電性ペーストに比べ粘性を低くすることができるため、半導体基板２２に設けた微細な貫通穴、例えば、１０μｍ〜４５μｍの貫通穴への充填をより確実に行うことができる。
【００４４】
半導体基板２２の実装面とは反対側の面（上面）に導出された貫通導体２３の導出部には、図８に示す如く導電層６が被着され、これによって導電層６がグランド電位に保持されるようになり、外部からの不要な電磁波を遮蔽し、回路モジュールを安定して動作させることができる。
【００４５】
このように半導体素子４に基準電位部１２を形成する場合、半導体素子４の上面の高さ位置を、配線基板２の上面に搭載される他の電子部品の上面の高さ位置よりも高くしておくことが好ましい。これにより、導電層６の基準電位部１２への被着を極めて簡単に行うことができる。ここで、絶縁性樹脂材５の上面の高さ位置と半導体素子４の上面の高さ位置とを等しくしておけば、絶縁性樹脂材５の上面に形成される導電層６を平坦化することができる。すなわち、絶縁性樹脂材５の上面が最も高背な半導体素子４の上面よりも低い場合、絶縁性樹脂材５の上面を覆うように導電層６を形成すると、導電層６は、半導体素子４に対応する部分が突出した状態となる。これに対し、絶縁性樹脂材５の上面の高さ位置と半導体素子４の上面の高さ位置とを等しくしておけば、絶縁性樹脂材５の上に形成される導電層６にも大きな凹凸が形成されることがなくなる。これにより、例えば、回路モジュール１を吸引して搬送する際、確実に吸引を行うことができ、生産性向上に供することができる。また、導電層６の上面に良好な状態でマーキングをすることができるといった利点もある。したがって、絶縁性樹脂材５の上面の高さ位置と半導体素子４の上面の高さ位置とを等しくしておくことが好ましい。
【００４６】
なお、本実施形態では、シールド機能付電子部品３として比較的低背な水晶振動子を用いた。
【００４７】
次に本発明の回路モジュールの製造方法について図６を用いて説明する。
【００４８】
（工程Ａ）
まず、図６（ａ）に示すように、マトリクス状に配列された複数の基板領域５０を有する集合基板５１を用意する。
【００４９】
集合基板５１は、例えば、ガラス−セラミック、アルミナセラミックス等のセラミック材料からなるグリーンシートを積層して構成され、各基板領域５０の表面や内部には電極パッド、内部配線、ビアホール導体、外部端子などが形成されている。
【００５０】
このような集合基板５１は、例えば、アルミナセラミックス等から成るセラミック材料粉末に適当な有機溶剤等を添加・混合して得たセラミックグリーンシートの表面等に電極パッドや外部端子となる導体ペーストを所定パターンに印刷・塗布するとともに、これを複数枚積層してプレス成形した後、高温で焼成することによって製作される。
【００５１】
（工程Ｂ）
次に、図６（ｂ）に示すように、各基板領域５０の電極パッド上にシールド機能付電子部品３、半導体素子４、コンデンサ、抵抗、インダクタ等の各種電子部品２０を半田等の導電性接合材により実装する。この状態で、シールド機能付電子部品３の上面が他の半導体素子４や電子部品２０の上面よりも高くなっている。
【００５２】
（工程Ｃ）
次に、図６（ｃ）に示すように、前記集合回路基板上に実装したシールド機能付電子部品３、半導体素子４、各種電子部品２０、並びに各基板領域の上面を被覆するようにして絶縁性樹脂材５となる樹脂ペーストを印刷し、硬化する。このとき、シールド機能付電子部品３の基準電位に保持される部分が露出されるようにしておく。本実施形態では、シールド機能付電子部品３として容器体１３及び容器体１３の上面に固着される金属板１２を含んで構成される温度補償型水晶発振器を用い、金属板１２の上面が絶縁性５から露出されるようにしている。具体的には、エポキシ樹脂などのペースト状の樹脂をメタルマスクを用いた従来周知のスクリーン印刷法等によって印刷する。この際、チャンバー内に集合基板５０を載置し、真空状態で樹脂の印刷を行うことにより、気泡の発生を抑え、良好な状態で樹脂を充填することができる。この後、例えば１５０℃、１時間の加熱により、樹脂を硬化させることにより絶縁性樹脂材５が形成される。
【００５３】
ここで、絶縁性樹脂材５の上面の高さ位置とシールド機能付電子部品３の上面の高さ位置とが等しくなるように絶縁性樹脂材５を形成することが好ましい。このようにして絶縁性樹脂材５を形成することにより、絶縁性樹脂材５から金属板１２の上面全体が露出された状態となり、この露出部に次の工程Ｄで形成される導電層６が被着されることとなるため、導電層６をより確実に基準電位に保持させることができるようになる。
【００５４】
（工程Ｄ）
次に、図６（ｄ）に示すように、絶縁性樹脂材５の上面に導電層６を形成する。この導電層６は、金属の微粒子同士が焼結してなる金属焼結層からなり、平均粒径１ｎｍ〜１００ｎｍのＡｇ粒子をトルエン、テルピネオール、キシレン、テトラデカン等の有機系の分散溶媒中に分散させ、ペースト状にした後、絶縁性樹脂材５の上面に塗布する。塗布方法としては、従来周知のスクリーン印刷法にて塗布しても良く、また、充填したペーストをノズルの先端から吐出させるインクジェット法、ペーストを滴下した集合基板を高速で回転することにより、一様な薄膜を形成するスピンコータ法、ゴム等の弾性体に印刷したペーストを写し取る転写法、槽中のペーストに浸漬して塗布するディップ法等を使用しても良い。このようにペーストを塗布した後、これを１３０〜３００℃で加熱処理する。上記ナノオーダーのＡｇ粒子は、比較的低温度でも容易に焼結するため、特別の焼結炉等を必要とすることなく、通常のオーブンやリフロー炉での加熱処理が可能である。また、絶縁性樹脂材５、及び半導体素子４等に高温加熱による劣化を発生させることなく、緻密な金属層を形成することができる。金属焼結層の材料としてＡｇ以外にも、ＣｕやＮｉなどを使用することが可能である。
【００５５】
（工程Ｅ）
次に、図６（ｅ）に示すように、ダイシングテープ５２に貼り付けた集合基板５１を各基板領域に沿ってダイシングカッター５３により切断する。これにより、個片に分割された回路モジュール１が得られる。
【００５６】
上述した回路モジュールの製造方法によれば、集合基板５１の全面に絶縁性樹脂材５、導電層６をそれぞれ一括的に形成することができ、金属カバーを設けるようにしていた従来の回路モジュールの製造方法と比較して、生産性を飛躍的に向上させることができる。すなわち、金属カバーを装着させる場合、金属カバーの位置合わせ工程、半田付け工程など非常に煩雑な作業が必要な上、これらの作業を複数の基板領域に対し、個々に行う必要があり、生産性が低い。これに対し、本実施形態の製造方法によれば、金属カバーの位置合わせ工程、半田付け工程などの煩雑な作業が一切不要となり、複数の基板領域に対し、絶縁性樹脂材５及び導電層６を一括的に形成することができるため、シールド効果を有する回路モジュールの生産性を高めることができる。
【００５７】
上述の回路モジュールの製造方法では、シールド機能付電子部品３に設けた基準電位部に導電層６が被着される場合について示したが、半導体素子４に設けた基準電位部１２に導電層６が被着される場合も、上記の工程Ａ〜Ｅにおいて、シールド機能付電子部品３と半導体素子４とを置き換えて同様の工程を行えばよい。半導体素子４に貫通導体２３を形成する場合、貫通導体２３を形成するための導電ペーストと導電層６を形成するための導電ペーストとで同じものを使用すれば、貫通導体２３と導電層６の形成を同時に行うことができる。すなわち、上記工程Ｂにおいて、貫通穴が形成された状態の半導体素子４を配線基板２に実装し、上記工程Ｄにおいて、導電層６となるペーストの塗布とともに、貫通穴にもペーストを充填することにより、貫通導体２３と導電層６の形成を同時に行うことができ、回路モジュールの生産効率を向上させることができる。
【００５８】
尚、本発明は上述の実施形態に限定されるものではなく、本発明の要旨を逸脱しない範囲において種々の変更、改良が可能である。
【００５９】
上述した第１の実施形態においては、シールド機能付電子部品３の上面の高さ位置が、半導体素子４の上面の高さ位置よりも高い回路モジュールを例に説明したが、シールド機能付電子部品３の上面の高さ位置が、半導体素子４の上面の高さ位置よりも低い場合にも本発明は適用可能である。この場合、導電層６をシールド機能付電子部品３の基準電位に保持される部分に被着させるためには、図７に示す如く、導電層６とシールド機能付電子部品３の金属板１２とを接続するための導電経路２１を設ければよい。かかる導電経路２１は、導電層６と同じ材料により形成される。
【００６０】
また上述した実施形態においては、シールド機能付電子部品３、半導体素子４のうち一方に設けた基準電位部１２に導電層６を接続させるようにしたが、シールド機能付電子部品３と半導体素子４の両方に基準電位部１２を設け、両方の基準電位部１２に導電層１２を接続するようにしても構わない。
【図面の簡単な説明】
【００６１】
【図１】本発明の第１の実施形態に係る回路モジュールの外観斜視図である。
【図２】図１に示す回路モジュールの断面図である。
【図３】図１に示す回路モジュールに搭載される温度補償型水晶発振器の断面図である。
【図４】本発明の他の実施形態に係る回路モジュールの斜視図である。
【図５】図４に示す回路モジュールの断面図である。
【図６】（ａ）〜（ｅ）は、図１に示す回路モジュールの製造工程を説明する図である。
【図７】本発明の変形例を示す回路モジュールの断面図である。
【図８】本発明の第２の実施形態に係る回路モジュールの断面図である。
【図９】図８に示す回路モジュールに使用される半導体素子の断面図である。
【符号の説明】
【００６２】
１・・・回路モジュール
２・・・配線基板
３・・・シールド機能付電子部品
４・・・半導体素子
５・・・絶縁性樹脂材
６・・・導電層
【図１】
2007294828.tif 000003
【図２】
2007294828.tif 000004
【図３】
2007294828.tif 000005
【図４】
2007294828.tif 000006
【図５】
2007294828.tif 000007
【図６】
2007294828.tif 000008
【図７】
2007294828.tif 000009
【図８】
2007294828.tif 000010
【図９】
2007294828.tif 000011